(57)【要約】【課題】駐車設備提供者から駐車場契約者および駐車場管理者へ従来なかった新たなサービス形態を提供する。【解決手段】個々の駐車場（１）の管理を行う駐車場管理者（２）とサーバ（４）を有する情報センタ（６）と駐車場契約者（８）との間で通信ネットワーク（１０）を介して行われるパーキングサービスの提供方法であって、駐車場契約者の契約者データを情報センタのデータベースに登録し、情報センタが駐車場契約者にサーバへアクセスするためのユーザパスワードおよびユーザＩＤを発行し、駐車場契約者が該ユーザパスワードおよびユーザＩＤを用いて自己を特定した所望時刻の出庫または入庫予約を情報センタに行い、該出庫または入庫予約に対して情報センタが所望時刻の直前に駐車装置を遠隔操作し出庫または入庫可能な状態に運転し、複数の駐車場契約者が同時刻の出庫または入庫予約をする場合には、先に予約を行った駐車場契約者が優先される。【選択図】図１
2006236374.tif 000002
【特許請求の範囲】
【請求項１】
個々の駐車場（１）の管理を行う駐車場管理者（２）とサーバ（４）を有する情報センタ（６）と駐車場契約者（８）との間で通信ネットワーク（１０）を介して行われるパーキングサービスの提供方法であって、
駐車場契約者の契約者データを情報センタのデータベースに登録する登録ステップと、
情報センタが駐車場契約者にサーバへアクセスするためのユーザパスワードおよびユーザＩＤを発行する発行ステップと、
駐車場契約者が該ユーザパスワードおよびユーザＩＤを用いて自己を特定した所望時刻の出庫または入庫予約を情報センタに行う予約ステップと、
該出庫または入庫予約に対して情報センタが所望時刻の直前に駐車装置を遠隔操作し出庫または入庫可能な状態に運転する遠隔操作ステップと、を備え、
複数の駐車場契約者が同時刻の出庫または入庫予約をする場合には、先に予約を行った駐車場契約者が優先される、ことを特徴とするパーキングサービスの提供方法。
【請求項２】
前記予約ステップにおいて、駐車場契約者が所望時刻の出庫または入庫予約をする場合に、この所望時刻と同じ時刻の出庫または入庫予約が先に行われている場合には、この駐車場契約者のパソコン又は携帯情報端末の画面に先約がある旨が表示される、ことを特徴とする請求項１に記載のパーキングサービスの提供方法。
【発明の詳細な説明】
【技術分野】
【０００１】
本発明は登録された駐車場契約者等へ通信ネットワークを介して主として地域密着型のサービスを提供する方法に関する。
【背景技術】
【０００２】
近年、マンションなどの集合住宅において、マンションの住人で構成した管理組合の決定により、共有スペースに長期のリース契約による駐車場設備をリース会社に建築させることがある。かかる場合リース会社、すなわち駐車設備提供者は設備のリース収益を毎月得るとともに、リース期間中は設備のメンテナンスや修復を行うことになる。
【発明の開示】
【発明が解決しようとする課題】
【０００３】
ここでエンドユーザである駐車場契約者と駐車設備提供者とは直接の接点がなく、駐車設備提供者は設備のメンテナンスや修復以外の魅力的なサービスを駐車場契約者に積極的に提供することはできていなかった。そのため駐車場設備を建築する際の駐車設備提供者の選択は、リース価格が重視されたものとなっていた実情がある。駐車設備提供者は駐車場契約者にリース価格の低減以外の魅力的なサービスを提供すべく提携ガソリンスタンドでの無料洗車チケットの配布なども試みていたが、駐車場の契約者は流動的であり、かかるチケット制では駐車場の契約が終了後にもチケットが利用されるといった問題があった。
【０００４】
また、一般に管理組合によって選出され個々の駐車場の清掃や駐車場契約者に関する種々の事務手続等を行う駐車場管理者と駐車設備提供者との間でも修復の依頼や定期点検の報告等以外の接点はほとんどなく、駐車設備提供者が駐車場管理者を直接的にサポートすることもなかった。
【０００５】
駐車場管理者は不当な駐車を防止し、駐車モラルの向上を図るため駐車場の管理を行うが、駐車場契約者と実際の駐車場の利用者が整合しないいわゆる「又貸し」がなされるような場合には、実際の駐車場の利用者を把握できず円滑な駐車場の管理の妨げになっていた。すなわち駐車場契約者と実際の駐車場の利用者が異なると、駐車場の使用モラルに反する行為があったとしても、駐車場管理者はこれに直接注意をすることはできず、また駐車場契約者全員の参加が望まれる防災訓練等の連絡などもままならなかった。
【０００６】
さらにこれまでは、駐車設備提供者は駐車場の契約・利用状況を知りえなかったので、的確な助言を駐車場管理者に与えること、つまりコンサルティングサービスの提供をすることはできていなかった。
【０００７】
本発明はこれらの問題点を解決すべく創案されたものであり、駐車設備提供者から駐車場契約者および駐車場管理者へ従来なかった新たなサービス形態を提供することを目的とするものである。
【課題を解決するための手段】
【０００８】
参考例によると、個々の駐車場（１）の管理を行う駐車場管理者（２）とサービス情報に関するデータを格納したサーバ（４）を有する情報センタ（６）と駐車場契約者（８）との間で通信ネットワーク（１０）を介して行われるパーキングサービスの提供方法であって、駐車場契約者の契約者データを情報センタのデータベースに登録する登録ステップと、前記情報センタがサーバへアクセスするためのユーザパスワードおよびユーザＩＤを駐車場契約者に発行する発行ステップと、前記駐車場契約者が情報センタに該ユーザパスワードおよびユーザＩＤを用いて自己を特定した問い合わせを行う問合せステップと、該問い合わせに対して情報センタが該駐車場契約者に関連したサービス情報を提供する提供ステップとを備える、ことを特徴とするパーキングサービスの提供方法が提供される。
【０００９】
参考例によれば、情報センタを運営する駐車設備提供者から駐車場契約者へその駐車場契約者に関連した各種サービス情報を通信ネットワークを介して提供することができる。
【００１０】
サービス情報の提供に際しては、予め駐車場契約者の所持する車両のナンバー、車種、色、年式、車検時期、契約者氏名および契約駐車場名、駐車位置等のデータを契約者データとして駐車場管理者または駐車場自身に登録させ、登録が完了した後にサービスセンタは駐車場契約者にサーバへアクセスするためのユーザパスワードおよびユーザＩＤを発行する。駐車場契約者はユーザＩＤとこのユーザパスワードを用いてサーバにアクセスする。サーバ側ではＩＤとユーザパスワードによりアクセスしようとする者が駐車場契約者であるか否かを判別（認証）した上で契約者である場合にはアクセス許可を行う。この認証によりアクセス者がどの駐車場の契約者であるかも登録された契約者データによって特定されるため、個々のアクセス者（駐車場契約者）へ主として地域に密着したサービス情報の提供が可能となる。
【００１１】
ここで、駐車場契約者自身による契約者データの改変等を禁止したい場合には、契約者データの登録・変更は事前に情報センタから提供された管理者ＩＤと管理者パスワードを用いて駐車場管理者のみが行えるものとすることも好ましい。なお車両の買い換えなどがあった場合には、契約者データは駐車場契約者が駐車場管理者にその一部の変更依頼を行うことによってその都度変更される。
【００１２】
また駐車設備提供者は、登録された契約者データから駐車場の契約・利用状況を把握することができ、例えば駐車場に空きがあり近隣の住人に駐車を希望する者がいる場合などには、駐車設備提供者は駐車場管理者に空き駐車場の有効に活用するための助言・指導などのコンサルティングも行うことができる。
【００１３】
なお、このように駐車場を起点として通信ネットワークを介し、またアクセス者を特定した地域密着型のサービス形態はこれまで存在しなかった。
【００１４】
また参考例によると、個々の駐車場（１）の管理を行う駐車場管理者（２）とサーバ（４）を有する情報センタ（６）と駐車場契約者（８）との間で通信ネットワーク（１０）を介して行われるパーキングサービスの提供方法であって、駐車場契約者の契約者データを情報センタのデータベースに登録する登録ステップと、情報センタが駐車場契約者にサーバへアクセスするためのユーザパスワードおよびユーザＩＤを発行する発行ステップと、該駐車場契約者が情報センタに該ユーザパスワードおよびユーザＩＤを用いて自己を特定し、サーバ内に構築された電子掲示板またはメーリングリストへの掲載の依頼を行う連絡依頼ステップと、情報センタが連絡依頼のあった事項を特定の者にのみ閲覧可能に提供する連絡ステップとを備える、ことを特徴とするパーキングサービスの提供方法が提供される。
【００１５】
参考例によれば、駐車場契約者が例えば同じ駐車場を利用する他の契約者への連絡手段が提供され、これにより主として同じ駐車場を利用する者によって構成されるコミュニティの形成も可能となる。
【００１６】
なお連絡事項の提供は、上記と同様に登録されているユーザＩＤとユーザパスワードによってアクセス者を特定することで閲覧できる者の範囲を限定して行われる。
【００１７】
さらに機械式駐車場において本発明によれば、個々の駐車場（１）の管理を行う駐車場管理者（２）とサーバ（４）を有する情報センタ（６）と駐車場契約者（８）との間で通信ネットワーク（１０）を介して行われるパーキングサービスの提供方法であって、駐車場契約者の契約者データを情報センタのデータベースに登録する登録ステップと、情報センタが駐車場契約者にサーバへアクセスするためのユーザパスワードおよびユーザＩＤを発行する発行ステップと、駐車場契約者が該ユーザパスワードおよびユーザＩＤを用いて自己を特定した所望時刻の出庫または入庫予約を情報センタに行う予約ステップと、該出庫または入庫予約に対して情報センタが所望時刻の直前に駐車装置を遠隔操作し出庫または入庫可能な状態に運転する遠隔操作ステップと、を備え、複数の駐車場契約者が同時刻の出庫または入庫予約をする場合には、先に予約を行った駐車場契約者が優先される、ことを特徴とするパーキングサービスの提供方法が提供される。
【００１８】
駐車場契約者が情報センタへ自己を特定して所望時刻の出庫または入庫予約を行い、情報センタは駐車装置を遠隔操作することによって当該時刻に契約車両が迅速に出入庫可能な状態に移動しておくことができる。
【００１９】
また参考例によれば機械式駐車場において、個々の駐車場（１）の管理を行う駐車場管理者（２）とサーバ（４）を有する情報センタ（６）と駐車場契約者（８）との間で通信ネットワーク（１０）を介して行われるパーキングサービスの提供方法であって、駐車場契約者の契約者データを情報センタのデータベースに登録する登録ステップと、情報センタが駐車場契約者にサーバへアクセスするためのユーザパスワードおよびユーザＩＤを発行する発行ステップと、駐車場に出入庫する車両（１２）を識別する識別ステップと、識別した車両の出庫又は／及び入庫の出入庫の履歴を情報センタのデータベースに記録する履歴記録ステップと、該出入庫履歴に基づき情報センタが出庫または入庫時刻を予測し予測時刻の直前に駐車装置を遠隔操作し出入庫可能な状態に運転する遠隔操作ステップとを備える、ことを特徴とするパーキングサービスの提供方法が提供される。
【００２０】
参考例では、日々情報センタのデータベースに蓄積される個々の契約車両の出入庫の履歴から情報センタのコンピュータにより当該契約車両の出庫または入庫時刻を予測し、予め駐車装置を遠隔操作し当該契約車両を出入庫可能な状態に移動しておくことで、機械式駐車場であっても迅速な出入庫が可能となる。
【００２１】
ここで、駐車場契約者（６）の契約者データと実際に駐車している車両とが整合しない場合に駐車場管理者（２）が該駐車場契約者のユーザパスワードを変更または消去する排除ステップをさらに含む、ことが好ましい。
【００２２】
上述したサービスは駐車場契約者でありかつ実際に車両を駐車する者に提供されるべきものであるため、いわゆる「又貸し」が行われている場合などにはその契約者にサービスを提供することは適当ではない。そこで駐車場管理者が登録した契約者データに記載の車両と実際に駐車している車両との整合性を周期的にチェックし、整合性がない場合にはその駐車場契約者のユーザパスワードを変更または消去することによりサーバへのアクセスを不可能とする。参考例によれば又貸しをする駐車場契約者は本来享受することができるサービスの提供を受けることができなくなるため、不正な又貸しなどをやめさせる誘因にもなる。
【００２３】
なお上述の駐車場管理者によるユーザパスワードの変更または消去に代えてまたは併用して、駐車場に出庫又は／及び入庫する車両を識別する識別ステップと、駐車場（１）に出庫又は／及び入庫する車両（１２）の出入庫の履歴を情報センタ（４）のデータベースに記録する履歴記録ステップと、一定期間出庫又は／及び入庫がない場合には情報センタが駐車場契約者のユーザパスワードを変更または消去する排除ステップにより不正契約者のデータベースへのアクセスを不可能とする、ことも好ましい。
【００２４】
例えば駐車場の出入口で適当な手段によって車両を識別し、契約者データに登録してある車両との整合性を確認し、また、出入庫の履歴を記録することにより登録していない車両が頻繁に出入りしており、その一方で登録された契約車両の出入が一定期間全くない場合には駐車場の又貸しが行われているものと判断して、出入庫が一定期間ない車両の契約者のユーザパスワードを変更または消去する。これにより、又貸しなどの不正を抑制することが可能となる。また、駐車場管理者によるチェックに替える場合には、駐車場管理者が周期的に契約者データの車両と実際に駐車している車両との整合性を確認し、整合性のない場合には駐車場契約者のユーザパスワードを変更または消去する等の人的な労力が軽減される。
【００２５】
ここで駐車場（１）に出庫又は入庫する車両（１２）の識別は、車両に取り付けたタグを読みとることによって、または車両のナンバープレートを撮影しその画像を画像認識処理することにより行うことが好ましい。
【００２６】
車両が出庫又は入庫する際に、個々の契約車両に取り付けたタグとの例えは無線通信による交信によって、または車両のナンバープレートを撮影しその画像を画像認識することによって容易かつ確実に契約車両を識別することができる。また駐車場の入口に入庫ゲートを設け、その契約者データに登録されていない車両が入庫しようとする場合に、その入庫を拒否するものとすることもできる。
【００２７】
さらに、情報センタ（６）のデータベースに登録された契約者データを基礎として各駐車場契約者（８）に関連するサービス情報を配信する配信ステップにより個々の駐車場契約者に有益なサービス情報を提供することもできる。
【００２８】
駐車場契約者の同意の下で、登録された契約者データを基礎として地域、年齢、性別、職業、家族構成、車検時期等の情報からターゲットを絞り込んだ的確なサービス情報の配信を行うことができる。なお、特定の契約者への配信を希望する事業者から宣伝広告費を徴収しこれを契約者に還元し、または当該事業者を利用する場合の特別割引などのサービスなどを付加することによって契約者にも十分魅力的な情報が配信される。その一方で、不正契約者や不正使用者はかかる情報を得ることができないため不正使用をやめさせる動機付けにもなる。
【発明の効果】
【００２９】
上述したように、本発明のパーキングサービスの提供方法によれば、リース会社等の駐車設備提供者から駐車場契約者および駐車場管理者へ従来なかった新たなサービス形態を提供することができる。
【発明を実施するための最良の形態】
【００３０】
以下に参考例と本発明の好ましい実施形態を図面を参照して説明する。本発明のパーキングサービスの提供方法は、駐車設備提供者からエンドユーザである駐車場契約者および個々の駐車場の管理を行う駐車場管理者へ提供する新たなサービス形態を提案するものである。ここで実質的なサービスに関する情報の提供は、駐車設備提供者が運営する情報センタと、駐車場管理者、駐車場契約者との間で通信ネットワークを介して行われる。
【００３１】
図１は駐車場契約者１へサービスが提供されるまでの概念図を表したものである。駐車設備提供者１４はまず駐車場契約者８の生活圏の各種サービス店と提携を行う。また、駐車設備提供者１４はインターネットによるｗｅｂサイトを運営するための情報センタ６を開設し、そのサーバ４に提携した各種サービス店群１６で提供されるサービスに関するデータ（サービス情報）を格納する。
【００３２】
一方、駐車場１の管理を行う駐車場管理者２は、自己が管理する駐車場の契約者に関する契約者データを情報センタ６のデータベースに登録する。登録された駐車場契約者８は、パソコンや携帯情報端末を用いて情報センタのｗｅｂサイト１８にアクセスし、各種サービス情報を引き出す。このとき情報センタ６ではサービス情報を引き出そうとする者が真の駐車場契約者であるか否か、また必要に応じて自己の駐車設備に実際に車両１２を駐車する者であるか否かの確認を行う。サービス情報の提供を受けた駐車場契約者８は、自己がそのサービスを受けることができる者であることを証明する手段をもって提携サービス店に出向くことにより、各種サービスの提供を受けることができる。
【００３３】
駐車場契約者へ提供されるサービスの具体例には、(1)提携ガソリンスタンドでの洗車やワックス掛け、ボディーコーティング、ガラス撥水加工等を定期的に行うボディーケアサービス(2)提携リペア店でのへこみ直しのスピード修理、クイックペイント、内装リペア、ガラスリペアなどのスマートリペアサービス(3)提携整備工場での車両整備、車検、板金塗装のための工場への輸送や工場からの納品を行う引き取り・納車サービス(4)車についての相談、情報提供を行うインフォメーションサービスの無料又は格安での提供、(5)提携自動車ディーラ・ディーラネットワークでの下取り価格の優遇、新車購入割引サービス(6)提携中古車買取りネットワークでの下取り価格の優遇、中古車購入割引サービス(7)提携カー用品会社での購入代金割引サービス(8)提携宿泊施設、提携飲食サービスチェーンでの利用割引サービス(9)提携損害保険会社での保険料金の割引サービスなどがある。
【００３４】
本発明のパーキングサービスの提供方法ではその実施の前提として、駐車場契約者８に関する契約者データを情報センタ６のデータベースに事前に登録することが必要とされる。図２は、本発明実施の前提として行われる契約者データの登録フローを表したものである。
【００３５】
契約者データの登録は、駐車場契約者に提出させたデータシートをもとに駐車場管理者が行う。ここでデータシートには駐車場契約者の車両のナンバー、車種、色、年式、車検時期、契約駐車場名、駐車位置等の車両情報と、契約者氏名、年齢、家族構成、職業、趣味、電子メールアドレス、年収などの個人情報が記載される。なお、駐車契約が終了した場合には駐車場管理者は直ちにサーバから契約者データを削除する。
【００３６】
駐車場管理者は、駐車設備提供者が運営する情報センタのｗｅｂサイトのトップページより管理者用ページにジャンプし、予め情報センタから発行されている管理者用ＩＤと管理者用パスワードを入力して自己の管理する駐車場用の契約者データ登録画面にログオンする。この登録画面上でデータシートに基づき駐車場契約者の車両情報および個人情報を入力し、その後登録確認を行うことで契約者データのサーバへの登録を完了する。登録が完了すると情報センタからその契約者のユーザＩＤとユーザパスワードが発行される。駐車場管理者はそのユーザＩＤとユーザパスワードおよび情報センタのｗｅｂサイトのＵＲＬを駐車場契約者に告知する。なお電子メール、郵便等により、情報センタから駐車場契約者へ直接ユーザＩＤ、ユーザパスワード等を通知してもよい。
【００３７】
この登録によって駐車設備提供者は、各駐車場の契約・利用状況を詳細に把握することができるため、例えば駐車場に空きがあり近隣の住人に駐車を希望する者がいる場合などには、駐車場管理者に対して空き駐車場の有効活用のための助言・指導など積極的なコンサルティングを行うことができる。
【００３８】
［参考例１］図３は第一の参考例を示したフロー図である。上述した契約者データの登録を完了した駐車場契約者は、パソコン、ＰＤＡ（Personal Digital Assistance）、携帯電話等の情報端末により情報センタのｗｅｂサイトのトップページにアクセスし、そこから契約者用ページにジャンプする。契約者用ページでは、情報センタから発行されたユーザＩＤとユーザパスワードを入力することにより、情報センタのサーバ内の駐車場契約者毎に用意されたマイページにログオンする。このマイページには主として駐車場契約者の生活圏で受けることのできる各種サービス業者の一覧やサービス内容についての説明がサービス情報として掲載されている。またマイページは後述する電子掲示板、出入庫履歴画面、出入庫予約画面などにもリンクしており、適宜各画面にジャンプすることができるようになっている。
【００３９】
例えば駐車場契約者が近くの提携ガソリンスタンドで無料（または格安）の洗車サービスを受けたいと考えた場合には、マイページから駐車設備提供者が提携しているガソリンスタンドの利用クーポンの発行要求画面（図示せず）にジャンプし、洗車クーポンの発行要求を行う。クーポンの発行要求をうけたサーバは、当該駐車場契約者の氏名、車種、ナンバー、クーポンの利用回数などが記載されたクーポン画面を駐車場契約者の情報端末の画面上に表示させる。駐車場契約者はこの画面を印刷して、または携帯情報端末を用いる場合にはこの画面を携帯情報端末内に記録して、これを実際に出向いたガソリンスタンドの店員に見せることで無料の洗車サービスの提供を受けることができる。
【００４０】
このように駐車設備の駐車設備提供者から駐車場契約者へ通信ネットワークを介して、各駐車場契約者に関連した各種サービス情報を提供することで、従来はなかった駐車場契約者にとって魅力的なパーキングサービスの一形態が構築される。また従来のチケット配布のような契約終了後にチケットが利用されるといった問題もなくなる。
【００４１】
［参考例２］図４に第二の参考例のフロー図を示す。本参考例は契約者データの登録後に通信ネットワークを介して行われるものであって、主として同じ駐車場の契約者間の情報交換の場としての電子掲示板を提供するものである。
【００４２】
本参考例のパーキングサービスは、契約者データの登録を行いユーザＩＤとユーザパスワードを入手した駐車場契約者が、例えば同じ駐車場を利用する他の契約者や特定の駐車場契約者に連絡事項がある場合に、情報センタのサーバ内に構築された電子掲示板またはメーリングリストに閲覧者を特定した掲載依頼を行うことを特徴とする。
【００４３】
図に示すように、掲載を希望する駐車場契約者は情報センタのｗｅｂサイトの契約者用ページからユーザＩＤとユーザパスワードによりマイページにログオンし、そこから掲載依頼画面にジャンプして掲載依頼事項を入力し、また閲覧者を特定した掲載依頼を行う。掲載依頼があると掲載依頼事項は情報センタのサーバに蓄積されるとともに、掲載依頼があった旨および掲載依頼事項の内容が駐車場管理者の情報端末に通知される。掲載依頼事項をチェックしその内容が適当であると判断した駐車場管理者は、管理者用ページから管理者用パスワードおよび管理者用ＩＤを入力して掲載許可画面にログインし、当該掲載依頼事項についての掲載許可をサーバに送信する。掲載許可を受けたサーバは掲載依頼事項を特定された駐車場契約者のみに閲覧可能に提供する。一方、掲載依頼事項が公序良俗に反する記載であるような場合には、掲載不可である旨を掲載依頼を行った駐車場契約者に通知する。
【００４４】
なお、掲載内容はサーバ内に比較的長期保存されるため、過去の掲載内容を確認したいような場合に便宜である。
【００４５】
これにより従来なかった駐車場契約者間の情報交換の場が提供され、主として同じ駐車場契約者で構成されるコミュニティの形成が可能となる。
【００４６】
［実施例］本実施例は図２に示した参考例１において出入庫予約を行うもので、契約者データを登録した駐車場契約者の出入庫予約を可能としたパーキングサービスを提供するものである。
【００４７】
このパーキングサービスは機械式駐車場において提供される。駐車場契約者は予め発行されているユーザＩＤとユーザパスワードによりマイページにログオンし、マイページから自己が契約する駐車場の出入庫予約ページにジャンプしてそこから出庫又は入庫時刻を入力した出入庫予約を行う。なお、複数の者が同時刻の予約を希望する場合には先に予約を行った者が優先され、先の予約が行われた時点でその時刻の出入庫予約は先約がある旨が画面上に表示される。出入庫予約が行われると情報センタが予約された時刻の直前に駐車装置を遠隔操作して予約を行った駐車場契約者の車両が出庫または入庫可能な状態に運転しておく。
【００４８】
これにより機械式駐車場での出入庫に要する時間が大幅に短縮される。なお、出入庫予約と予約によらない手動による出入庫操作とが競合した場合には、手動による出入庫操作が優先されて機械式駐車装置が運転される。
【００４９】
［参考例３］本参考例は実施例に示した駐車場契約者自身による出入庫の予約によらず、駐車場の出入口で駐車場に出入庫する車両を識別し、その履歴を情報センタのデータベースに記録し、出入庫履歴に基づき情報センタが出庫または入庫時刻を予測して予測時刻の直前に駐車装置を遠隔操作して迅速な出入庫を可能とするものである。本参考例においても機械式駐車場での出入庫に要する時間の大幅が短縮が図られることとなる。
【００５０】
上述した実施例と参考例１乃至３においては、駐車場契約者の契約者データと実際に駐車している車両とが整合しない場合に駐車場管理者が該駐車場契約者のユーザパスワードを変更または消去するステップを含めることが好ましい。
【００５１】
駐車場管理者は、契約者データに記載の車両と実際に駐車している車両との整合性を周期的にチェックし、整合性がない場合にはその駐車場契約者のユーザパスワードを変更または消去する。ユーザパスワードを変更または消去は、図２に示す契約者データの登録フローと同様の手順によって行われる。
【００５２】
ユーザパスワードの変更等が行われるとその駐車場契約者は情報センタのｗｅｂサイト上のマイページへのアクセスが不可能となる。これにより駐車場契約者は本来享受することができるサービスを受けることができなくなるため、駐車場契約者による不正な又貸しなどをやめさせることができる。なお、駐車場契約者が車を買い換えた場合などには事前に駐車場管理者に届け出ておく必要がある。
【００５３】
また駐車場管理者によるユーザパスワードの変更または消去に代えてまたはこれと併用して、出入庫する車両を識別し、出入庫の履歴を情報センタのデータベースに記録し、一定期間（例えば１ヶ月間）まったく出入庫がない場合には情報センタが駐車場契約者のユーザパスワードを変更または消去することにより不正契約者のデータベース（マイページ）へのアクセスを不可能とすることも好ましい。
【００５４】
ここで駐車場に出入庫する車両の識別は、契約車両に取り付けたタグを読みとることによって、または車両のナンバープレートを撮影しその画像を画像認識処理することにより行う。
【００５５】
車両が出入庫する際に、契約車両に取り付けられ個別のＩＤ番号を付与されたタグ（送信機）と駐車施設に設けられた識別装置（受信機）との無線交信によって、または車両のナンバープレートを撮影しその画像を画像認識することによって入庫しようとする車両が駐車場契約者自身の車両であるか否かを判別する。認識された車両の出入庫の履歴は情報センタのデータベースに記録され、前述した出入庫の予測や駐車場契約者のユーザパスワードの変更等を行うか否かを判断するための情報として用いられる。
【００５６】
またこの出入庫の履歴は図２に表したようにマイページの出入庫履歴画面から駐車場契約者自身も閲覧することができる。駐車場契約者はこれを乗車頻度のチェックや防犯に役立てることができる。
【００５７】
なお入庫ゲートを設け、その駐車場契約者の車両として登録されていない車両が入庫しようとする場合や駐車場契約者の車両であることが認識できない場合には、その入庫を拒否するものとすることもできる。
【００５８】
さらに、データベースに登録された駐車場契約者の年齢、性別、職業、家族構成、車検時期等の契約者データを基に、電子メールにより、または駐車場契約者のマイページにサービス情報を配信する。かかる配信は駐車場契約者の同意の下でなされ、配信されるサービス情報には特別割引などの情報が掲載される。例えば、車検時期が近い駐車場契約者には近隣の提携民間車検整備場の特別割引のクーポンなどを配信する。クーポンには前述と同様に当該駐車場契約者の氏名、車種、ナンバーなどが記載されており、駐車場契約者はこのクーポンを印刷して提携民間車検整備場に持参し、これを提示することにより割引価格で車検を受けることができる。
【図面の簡単な説明】
【００５９】
【図１】本発明による駐車場契約者へのサービス提供までの概念図である。
【図２】契約者データの登録フロー図である。
【図３】第一の参考例のフロー図である。
【図４】第二の参考例のフロー図である。
【符号の説明】
【００６０】
１ 駐車場
２ 駐車場管理者
４ サーバ
６ 情報センタ
８ 駐車場契約者
１０通信ネットワーク
１２ 車両
１４ 駐車設備提供者
１６ サービス店群
１８ ｗｅｂサイト
【図１】
2006236374.tif 000003
【図２】
2006236374.tif 000004
【図３】
2006236374.tif 000005
【図４】
2006236374.tif 000006